(57)【要約】【課題】地表面などに設置して用いられ、風圧でまくれ上がることがなく、かつ、組み立てが容易で、保管や運搬が容易にできる仮設ヘリポートを提供することである。【解決手段】仮設ヘリポートが、複数の略水平方向に展開する層を有し、その各層の少なくとも１の層間の相接する面の、少なくとも片方の面が、面ファスナーを有するようにすして、更には、各層の少なくとも相接する２層が、各々、略長方形のシートに分割され、かつ、前記相接する２層の略長方形の延伸方向が異なるようにする。【選択図】図１
2017133343.tif 000002
【特許請求の範囲】
【請求項１】
複数の略水平方向に展開する層を有し、前記各層の少なくとも１の層間の相接する面の、少なくとも片方の面が、面ファスナーを有することを特徴とする仮設ヘリポート。
【請求項２】
前記各層の少なくとも相接する２層が、各々、略長方形のシートに分割され、かつ、前記相接する２層の略長方形の延伸方向が異なることを特徴とする請求項１に記載の仮設ヘリポート。
【請求項３】
前記面ファスナーの相接する層を異なる色で着色したことを特徴とする請求項１に記載の仮設ヘリポート。
【請求項４】
前記各層の相接する面で、前記片面の面ファスナーに相対する面が、空隙の多い繊維状の素材で構成されることを特徴とする請求項１に記載の仮設ヘリポート。
【請求項５】
前記各層の少なくとも１の層間に補強板を設けたことを特徴とする請求項１から請求項４のいずれか１項に記載の仮設ヘリポート。
【発明の詳細な説明】
【技術分野】
【０００１】
本発明は、地表面などに設置して用いられる仮設のヘリポートに関し、特に、面ファスナーを用いた仮設ヘリポートに関する。
【背景技術】
【０００２】
近年は、地震・津波・台風などの自然大災害や、テロなどによる人為的な災害の発生が懸念されており、その際に、状況把握、人命救助、物資輸送などの目的で、ヘリコプターが利用されることが多くなっている。また、救急用のドクターヘリが広く普及をしており、救命に効果を上げている。
【０００３】
しかし、ヘリポートの設置には、多額の費用がかかるため、常時使用しないところに緊急用のヘリポートを設けることは困難であるのが実情である。そのため、使用時のみに仮設のヘリポートを簡便に設けることができる方策が望まれている。
【０００４】
例えば、特許文献１には、複数のマットを、連結部を介して連結したシートを空き地などに設置して、簡易ヘリポートとして用いる技術思想が開示されている。これによれば、不使用時には連結部により順次折り畳み、あるいは連結部により分解して収納し、使用時には、それらを展開または連結して平坦なシートすることが示されている。
【０００５】
しかしながら、特許文献１の簡易ヘリポートは多数のマットから形成されるが、ヘリコプターの離着陸時の風（ダウンウォッシュ）による風圧でまくれ上がるなどの現象が発生するのを防ぐために、マットの隣接部をしっかりと連結させて組み立てる必要がある。しかしながら、現地で隣り合うマット同士を正確に連結する作業は極めて煩雑で長時間を要する。また、マットを連結した状態で保管・運搬する場合は、不使用時に必要とされる保管スペースが大きいことや、運搬の方法が限定されるなどの問題点があった。
【先行技術文献】
【特許文献】
【０００６】
【特許文献１】特開平１０−１０２４２５号公報
【発明の概要】
【発明が解決しようとする課題】
【０００７】
解決しようとする問題点は、風圧でまくれ上がることがなく、かつ、組み立てが容易で、保管や運搬が容易にできる、仮設ヘリポートを提供することである。
【課題を解決するための手段】
【０００８】
第１の本発明の仮設ヘリポートは、複数の略水平方向に展開する層を有し、その各層の少なくとも１の層間の相接する面の、少なくとも片方の面が、面ファスナーを有することを特徴とする。
【０００９】
例えば、３層の略水平方向に展開する層として、最下層は、上面のみに接着のためのファスナー要素を有し、中間層は両面にファスナー要素を有し、最上層は、下面にのみファスナー要素を有するようにして、そのうちのすべての相接する面が面ファスナーを有していてもよいし、どれかの層の相接する両面または片面でも面ファスナーを有していればよい。もちろん、３層構造に限定せず、２層以上であれば何層であってもよい。
【００１０】
このようにすると、面ファスナーを含む層それ自体が、仮設ヘリポートを形成することで、確実にかつ容易に組み立てができ、かつ、分解や保管も容易な仮設ヘリポートが実現できる。すなわち、面ファスナーを、繋げるための副資材ではなく、それ自体で繋がる機能を有する主資材として用いることで、繋がりの強度を保った上で、取り扱いが簡便になる。
【００１１】
なお、ここで略水平方向としたのは、地表面のわずかな傾斜により、完全な水平方向とならない場合も含むように略水平方向としたものである。
【００１２】
また、第１の本発明の仮設ヘリポートは、その各層の少なくとも相接する２層が、各々、略長方形のシートに分割され、かつ、その相接する２層の略長方形の延伸方向が異なることを特徴としてもよい。
【００１３】
このようにすれば、適宜、保管・運搬しやすい幅で、ロール状または短冊状に成形した長尺の略長方形のシート状面ファスナーを用いることにより、保管及び運搬が容易で、かつ、特に工具、連結部材などを必要とせずに、仮設ヘリポートの各層を繋げる、あるいは、くっつけるなどして、現地で簡便に施工ができる。
【００１４】
また、面ファスナーの、少なくとも相接する２層の略長方形のシートの延伸方向が異なるようにした。例えば、３層構造の場合、最下層は、Ｘ軸方向に延伸した長方形のシートで構成され、中間層はＹ軸方向に延伸した長方形のシートで構成され、最上層はＸ軸方向に延伸したシートで構成されるようにする。  
【００１５】
このようにすると、各層の略長方形シートの延伸方向が同一の場合と比べて、各層の面ファスナーの形状維持がより確実になり、仮設ヘリポートの強度を保つこともでき、安定して使用することができる。
【００１６】
すなわち、第１の本発明の大きな利点として、複数のマットを、単一層の平面上で、隣り合うマットの外縁の部分で、副資材を用いて連結する（繋げる）従来技術と比べて、複数層のシートの層間を、面同士で繋がって強度を保ち、形状を維持していくことから、各層においては、分割されたシートを用いる場合でもそれらを平面方向に連結する（繋げる）必要はなく、若干の隙間も許容され、施工が極めて容易な上に、十分な強度および平坦性が得られ、また、面による接着であることから、風によるまくれ上がりを防止することもできる。
【００１７】
その上、少なくとも相接する２層の略長方形のシートの延伸方向が異なるようにしたから、各層の略長方形シートの延伸方向が同一の場合と比べて、各層の面ファスナーの形状維持がより確実になり、仮設ヘリポートの強度を保つこともでき、安定して使用することができる。
【００１８】
更に、面ファスナーの層の数を増減することで、地盤の強弱、地盤の硬軟、地表の材質、植生などの状況に適切に対応することができる。
【００１９】
なお、シートの分割形状は、完全な長方形に限定せず、長方形を斜めに平行に分割した台形状でも、底辺に比べ高さ方向が大な三角形状でも略長方形に含まれるものとする。
【００２０】
また、層の数は３層に限定されず、延伸（長手）方向は、Ｘ軸方向、Ｙ軸方向の直交する場合に限定されず、斜めに交差するように層間で異なっていればよい。
【００２１】
更に、第１の本発明の仮設ヘリポートは、複数の略水平方向に展開する層の相接する面で、前記片面の面ファスナーに相対する面が、空隙の多い繊維状の素材で構成されることを特徴としてもよい。
【００２２】
例えば、第１の本発明に記載した積層状態において、一部またはすべての層間において、面ファスナー同士の接着に代えて、片側が面ファスナーであり、相接する側が面ファスナーと結合しやすいような空隙の多い繊維状の素材、例えば、布、不織布、パイル、繊維、樹脂、金属、木材、紙などで構成されていてもよい。
【００２３】
次に、第２の本発明の仮設ヘリポートは、第１の本発明において複数の略水平方向に展開する層の少なくとも１の層間に補強板を設けたことを特徴とする。
【００２４】
例えば、２層の間に、強度のある金属板、ゴム板、樹脂板、布などの芯材を含む補強板を設ける。このようにすると、荷重を受ける部分、例えば、仮設ヘリポートにおいてヘリコプターの載置される場所などの強度を補強することで、利用の可能性が大きく広がる。
【００２５】
その他の第１の本発明の変形例、効果、利点についても、補強板を設けること以外の点については、そのまま適用できる。
【発明の効果】
【００２６】
このように本発明の仮設ヘリポートは、地表面が粗く、ヘリコプターの離着陸に支障のある場合でも、面ファスナーによる設置の容易さと、形状維持の確実さから、速やかに運用を開始し、ヘリコプターの離発着を可能にすることができ、特に、災害時などには、人命救助や物資の運搬に多大な効果を奏する。
【００２７】
また、面ファスナーを、両側ではなく、片側のみに用い、反対側は空隙の多い繊維状の素材とした場合は、安価な材料を使用することができ、全体のコスト低減が可能となる。  
【００２８】
更に、補強板を層間に内装した場合には、強度が増すため、地表面の状況が軟弱な場合でも、ヘリコプターを載置することができるという効果を奏する。
【図面の簡単な説明】
【００２９】
【図１】第１の本発明の一実施形態の仮設ヘリポートの斜視図である。
【図２】第１の本発明の一実施形態の仮設ヘリポートの部分斜視図である。
【図３】第１の本発明の一実施形態の仮設ヘリポート使用時の説明図である。
【図４】第１の本発明の一実施形態の仮設ヘリポート保管時の説明図である。
【図５】第１の本発明の一実施形態の仮設ヘリポート保管時の説明図である。
【図６】第１の本発明の別の実施形態の仮設ヘリポートの斜視図である。
【図７】第１の本発明の更に別の実施形態の仮設ヘリポートの斜視図である。
【図８】第２の本発明の一実施形態の仮設ヘリポートの斜視図である。
【図９】第２の本発明の一実施形態の仮設ヘリポートの断面図である。
【図１０】第２の本発明の一実施形態の仮設ヘリポートの断面図である。
【図１１】第２の本発明の一実施形態の仮設ヘリポートの断面図である。
【発明を実施するための形態】
【００３０】
第１の本発明の一実施形態を図面を用いて説明する。図１は第１の本発明の一実施形態の仮設ヘリポートの全体斜視図で、一部説明用の切り欠きがあり、図２は第１の本発明の一実施形態の仮設ヘリポートの端部の部分斜視図である。
【００３１】
仮設ヘリポート１は、シート状の面ファスナーからなる第１の層１０、第２の層２０、及び第３の層３０よりなる。ここで、面ファスナーとは、面的に着脱できるファスナーであり、マジックテープ（登録商標）、ベルクロ（登録商標）などの名称で市販されているものを含むが、これに限定されるものではない。
【００３２】
ここで、第１の層１０は、薄い長方形で図中Ｘ方向に延伸する、面ファスナーを有する複数のシートを隙間なく設置した状態で形成される。具体的には、仮設ヘリポート１の全体表面寸法を１０ｍｘ１０ｍとした場合、第１の層１０は、１ｍｘ１０ｍの部分１０ａ、１０ｂ、・・・１０ｊの１０枚からなる。なお、この寸法・枚数は例示であり、これに限定されるものではない。特に、第１の層１０の部分を短冊状に形成する場合には、例えば、１ｍｘ５ｍに更に分割してもよい。以下、全ての数値は同様に例示である。
【００３３】
第１の層１０は、図に示すように、高分子樹脂からなる基材１１と、基材１１の片面に多数の鈎形に形成されたフック１２を有する面ファスナーよりなる。このような片面にフックまたはループを形成した面ファスナーシートは一般的に使用されているものである。
【００３４】
第２の層２０は、同様に、薄い長方形で図中Ｙ方向に延伸する、面ファスナーを有する複数のシートを隙間なく設置した状態で形成される。具体的には、仮設ヘリポート１の全体表面寸法を１０ｍｘ１０ｍとした場合、第２の層２０は、１ｍｘ１０ｍの部分２０ａ、２０ｂ、・・・２０ｊの１０枚からなる。
【００３５】
第２の層２０は、図に示すように、高分子樹脂からなる基材２１と、基材２１の片面に、多数の輪状に形成されたループ２２と、基材２１の別の面に形成された多数のフック２３を有する面ファスナーシートよりなる。すなわち、基材２１の両面に、ループ２２とフック２３を有するものであり、このような形態の面ファスナーシートも実用化されている。
【００３６】
第３の層３０は、同様に、薄い長方形で図中Ｘ方向に延伸する、面ファスナーを有する複数のシートを隙間なく設置した状態で形成される。具体的には、仮設ヘリポート１の全体表面寸法を１０ｍｘ１０ｍとした場合、第３の層３０は、１ｍｘ１０ｍの部分３０ａ、３０ｂ、・・・３０ｊの１０枚からなる。
【００３７】
第３の層３０は、図に示すように、高分子樹脂からなる基材３１と、基材３１の片面に形成された多数のループ３２を有する面ファスナーシートよりなる。
【００３８】
ここで、各層の保管状況を説明する。図４及び図５は第１の本発明の一実施形態の仮設ヘリポートの保管時の説明図である。
【００３９】
層１０、２０、または３０の各構成部材は、図に示すように、ロール状に巻き上げるか、平板状に面が接着しない状態で積層されて保管されており、この状態では、保管に必要なスペースは小さくてよい。また、運搬に際してもそのようなコンパクトな状態のまま、ヘリコプター、輸送車両などで現地まで運搬することができる。
【００４０】
次に、このような構成の仮設ヘリポート１の組立て方法及び使用方法について説明する。
【００４１】
図１及び図２に示すように、運搬されてきた第１の層１０ａ、１０ｂ、・・１０ｊは、平坦な場所に、フック側を上にして、特定の方向（Ｘで例示）に延伸方向を合わせて隙間なく設置される。
【００４２】
次に、第２の層２０ａ、２０ｂ、・・２０ｊを、ループ側を下、フック側を上にした状態で、第１の層１０とは直交する方向（Ｙで例示）に延伸方向を合わせて隙間なく設置される。このようにすると、周知の面ファスナー技術により、第１の層１０と第２の層２０が接着されることとなる。
【００４３】
ここで、面ファスナー技術とは、フック状に起毛された側とループ状に起毛された側とを押し付けるとそれだけで貼り付くようになるものであり、第１の層１０と第２の層２０の構成部材の延伸方向を異なるようにしたことで、当初は単に置いてあっただけの第１の層１０が、第２の層２０によってその形状が維持され、同様に、第２の層２０も第１の層１０によってその形状が維持されることになる。  
【００４４】
次に、第３の層３０ａ、３０ｂ、・・３０ｊをループ側を下にした状態で、第２の層２０とは直交する方向（Ｘで例示）に延伸方向を合わせて隙間なく設置される。このようにすると、周知の面ファスナー技術により、第３の層３０と第２の層２０が接着されることとなる。
【００４５】
このようにして、３層からなる仮設ヘリポート１の組立てが完了する。
【００４６】
図３は、第１の本発明の一実施形態の仮設ヘリポートの使用時の説明図である。ここで、仮設ヘリポート１は、ほぼ平坦ではあるが、不整な場所、例えば、草原Ｇ、小石などからなる河原Ｓ、砂地の海岸Ｂなどに設置される。なお、図は説明用であり、３ヶ所の不整地を示してあるが、もちろんどれか１ヶ所でも構わないし、不整地はこれに限定されるものではなく、また、完全に整地された場所で用いてもよい。
【００４７】
このような場所では、ヘリコプターが離着陸できる広さと平坦さがあったとしても、例えば、草原Ｇ（麦・稲などをの田畑を含む）では、草木に隠れて車輪が見えない場合もあり、車輪が接地するのを確認する必要があり、また、ヘリコプターの離着陸による草木の巻き込みの恐れがある。
【００４８】
また、河原Ｓ（河川敷）では、玉石の多い場合には、車輪が安定しないため、そのままでは離着陸が危険であり、小石の飛散によるトラブルもあり得る。更に、海岸Ｂや（図示しない）乾燥した校庭などでは、着陸時に砂の舞い上がりで前が見えなくなる恐れがあり、無事に着陸できても砂をエンジンに吸い込む事故の恐れがある。
【００４９】
また、図示しない軟弱地盤や積雪地盤では、着陸に際して車輪が埋まってしまい、場合によってはテールローターが下がり地面をたたき大事故につながる恐れがある。
【００５０】
なお、図示しないゴルフ場などの芝地では比較的に安全に着陸はできるが、車輪やスキッド（棒状の着陸そり）で芝生を傷めてしまうことが多い。
【００５１】
これらの状況のすべてにおいて、第１の本発明の仮設ヘリポートを用いてその問題点を解消することが可能である。
【００５２】
特に、軟弱地盤や積雪地盤の場合には、軟弱の度合いを見て、面ファスナーの層を３層よりも増やすか、あるいは一部（車輪部分回りのみ）を層厚にしてもよい。
【００５３】
更に、仮設ヘリポート１の上に薄膜のカバー５０をかぶせてもよい。これによれば、仮設ヘリポート１の最上面の破損、汚損などを防止することができる。
【００５４】
また、カバー５０は、その４隅及び各辺の外縁部の中点を地中に差し込むペグ５１などで固定するようにしてもよい。そのようにすれば、使用時の風圧などでカバー５０がめくれるなどの状況を更に防止することができる。なお、ペグ５１の使用個所、本数はこれに限定されない。
【００５５】
更に、カバー５０には、ヘリポートであることを表示するヘリポートマーク５２を印刷またはシールなどの方法で設けて置いてもよい。これにより、周辺住民や利用者への告知ができ、また、ヘリコプター着陸の目印ともなる。
【００５６】
なお、これまでの説明で、仮設ヘリポート１は、３層の面ファスナーよりなる層を設け、下から、フック、ループとフック、ループの順に構成したが、層数もその面ファスナーの構成もそれに限定されるものではなく、例えば、２層として、フック、ループの一組の組合せであってもよく、４層以上であっても構わない。
【００５７】
また、面ファスナー自体も、一面にフックとループの混在した面を有し、組合せを意識せずに用いることのできるものも実用化されており、そのようなものを用いてもよく、フック、ループという表現とは異なる形態のものも実用化されているが、面ファスナーであればその形態はどのようなものであってもよい。
【００５８】
また、面ファスナーの基材についても高分子樹脂として説明したが、それ以外の布や金属などの素材であっても構わない
【００５９】
また、面ファスナーは、全面にファスナー要素を設けることが好ましいが、一部であってもよい。例えば、全体の８０％あるいは５０％程度であれば、かなりの効果は期待でき、更に少なく全体の３０％あるいは２０％程度であっても限定した効果は期待できる。
【００６０】
また、それぞれの層は、薄い長方形で図中Ｘ方向に延伸する複数の面ファスナーからなるとしたが、長方形ではなく、図６に示すように、各層１１０、１２０、１３０を、各表面を斜め平行に分割し、かつ、相接する層の延伸方向を異なるようにしてもよく、図７に示すように、各層２１０、２２０、２３０を細長の直角三角形で形成し、かつ、相接する層の延伸方向を異なるようにしてもよい。これらも略長方形には含まれるものとする。
【００６１】
また、相接する仮設ヘリポートの部材の延伸方向が、直交すると説明したが、直交でなくても、平行でなくある角度を有していればよい。そのようにすれば相接する層の接着強度及び形状維持の効果をある程度発揮できる。
【００６２】
また、これまでの説明で、全ての層が長方形に分割されるとして説明したが、その一部または全部の層を分割なしの大きなシートとしてもよい。広い保管スペースがある場合などは、予め、大きなシートを準備しておいてもよい。
【００６３】
また、面ファスナーには、ループを有するものとフックを有するものがあるが、これらについて異なる色（例えば、ループを有する層は赤、フックを有する層は青）を着けてもよい。両面タイプ（片側にループ、反対側にフックを有する）では、両面の色を違えるようにしてもよい。このようにすると施工時に間違えることなく作業することができ、美観の点からも望ましい。
【００６４】
更に、第１の本発明の実施形態において、複数の略水平方向に展開する層の相接する面で、前記片面の面ファスナーに相対する面が、空隙の多い繊維状の素材で構成されるようにしてもよい。
【００６５】
例えば、仮設ヘリポートの積層状態において、一部またはすべての層間において、面ファスナー同士の接着に代えて、片側が面ファスナーであり、相接する側が面ファスナーと結合しやすいような空隙の多い繊維状の素材、例えば、布、不織布、パイル、繊維、樹脂、金属、木材、紙などで構成されていてもよい。
【００６６】
これについての詳細は、第２の本発明の一実施形態の中で説明がなされている。
【００６７】
次に、第２の本発明の一実施形態を、図面を用いて説明する。なお、第１の本発明と共通する部分については説明を省略する。
【００６８】
図８は、第２の本発明の一実施形態の仮設ヘリポート５００の斜視図であり、最下層の第１の層５１０、最上層の第２の層５２０、及び、その間に設けられた補強板層５３０よりなる。
【００６９】
それらの概略の平面寸法は、第１の層５１０及び第２の層５２０が、それぞれ縦２０ｍ、横２０ｍ、補強板層５３０が縦６ｍ、横６ｍであり、ヘリコプターの離着陸に好ましい寸法であるが、この寸法に限定されず、用途によって増減が可能である。
【００７０】
また、第１の層５１０及び第２の層５２０は、それぞれ、１ｍｘ２０ｍの長方形片を２０枚並べて構成され、補強板層５３０は、１．５ｍｘ１．５ｍの正方形片１６枚を並べて構成される。なお、これらの各片の形状、寸法、枚数はこれに限定されるものではない。
【００７１】
ここで、第１の層５１０の長方形片の長手（延伸）方向と、と第２の層５２０の長方形片の長手（延伸）方向は、直交する。
【００７２】
図９は、第１の層５１０の長方形片の断面図であり、基材５１１と面ファスナー５１２とからなる。第１の層５１０が、地表面に接して設置されることが多いことから、基材５１１は、防水性のある布、樹脂などの材質であることが好ましいが、それに限定されない。面ファスナー５１２としては、片面にフックを有する薄型のプラスチックフックが好適であるが、それに限定されるものではない。ここで、基材５１１と面ファスナー５１２のフックのない面とは、接着または溶着などの方法で、予め結合されているものとする。
【００７３】
なお、基材５１１と面ファスナー５１２は、別部材でなくてもよく、一体成型されたものであってもよい。更には、ファスナー機構で脱着可能に構成してもよい。また、第１の層５１０には、基材５１１、面ファスナー５１２以外の部材を含んでいてもよい。
【００７４】
図１０は、第２の層５２０の長方形片の断面図であり、接合部材５２１と基材５２２とからなる。接合部材５２１は、第１の層５１０の面ファスナー５１２などと接合される部分で、面ファスナーで形成してもよいし、空隙の多い繊維状の素材、すなわち、繊維間に空隙が多くなるよう形成した布、例えば、パイルや不織布などで形成してもよい。
【００７５】
基材５２２は、この部分が仮設ヘリポート５００の最上部になることから、降雨の影響などもあり、防水性の布、樹脂などの素材であることが望ましいが、それに限定されない。
【００７６】
ここで、接合部材５２１と基材５２２とは、接着、溶着などの方法で予め結合されているものとする。なお、接合部材５２１と基材５２２とは、別部材でなく一体で形成されていてもよい。
【００７７】
接合部材５２１を空隙の多い繊維状の素材、例えばパイルや不織布などで形成した場合は、面ファスナーよりも低廉な材料費であり、また、面ファスナーに比べて軽量とすることができるため、少ない費用で、取り扱いも便利な仮設ヘリポートを実現することができる。
【００７８】
また、接合部材５２１をパイルや不織布で形成した場合は、接合力については、面ファスナー同士に比べて劣ることも考えられるが、パイルや不織布などの材質や構造を適切に選択すれば、所望の接合力を得ることは可能である。
【００７９】
なお、第２の層５２０は、接合部材５２１、基材５２２以外の部材を含んでいてもよい。
【００８０】
図１１は、補強板層５３０を構成する小正方形片の断面図であり、この図では下方から上方に向かい、接合部材５３１、芯材５３２、面ファスナー５３３よりなる。
【００８１】
接合部材５３１は、第２の層５２０に用いられる接合部材５２１と同様の材質であり、面ファスナー、あるいは空隙の多い繊維状の素材、例えばパイルや不織布などからなる。これによって、補強板層５３０を第１の層５１０の面ファスナー５１２と接合することができる。
【００８２】
芯材５３２は、強度のある素材からなる薄板の層である。素材としては、例えば、塩化ビニールなどの樹脂素材が重量と強度の面では好適であるが、それ以外の鉄やアルミなどの金属材料、硬質・軟質のゴム材料、硬い布（不織布）、紙などの素材を用いてもよい。また、その構造は、平板に限定せず、エンボス加工や、ハニカム加工、あるいはリブなどを付加して強度を増したものなどであってもよい。
【００８３】
面ファスナー５３３は、片面（この図では上面）にフックを有する薄型のプラスチックフックが好適であるが、それに限定されるものではない。この面ファスナー５３３により、第２の層５２０の接合部材５２１と接合することができる。
【００８４】
なお、接合部材５３１と芯材５３２との間、及び、芯材５３２と面ファスナー５３３との間は、接着や溶着などの方法で予め結合されているものとするが、脱着可能に構成してもよく、あるいは、２以上の部材を、別部材でなく一体で構成してもよい。
【００８５】
なお、補強板層５３０は、接合部材５３１、芯材５３２、面ファスナー５３３以外の部材を含んでいてもよい。
【００８６】
次に、第２の本発明の構成の仮設ヘリポート５００の組立て方法及び使用方法について説明する。
【００８７】
まず、仮設ヘリポート５００の設置が必要な場所、例えば、ヘリコプターの離発着用のヘリポートを設営する場所に、基材５１１を外側にしてロール状に巻かれた第１の層５１０の長方形片の一つを運搬してきて、面ファスナー５１２が上になるように、ロールをほどいていく。すべてがほどかれて、真っ直ぐ延伸したら、その隣に、次の第１の層５１０の長方形片を前の長方形片と隙間がないようにほどいていく。このようにして、順次、長方形片を隙間なく延伸していく。
【００８８】
全ての第１の層５１０の長方形片が延伸できたら、その中央付近に、補強板層５３０の正方形片を載置していく。この際に、補強板層５３０の接合部材５３１が下方になるようにして、第１の層５１０との接合をしていく。引き続き、順次、補強板層５３０の正方形片を隙間なく載置していく。
【００８９】
全ての補強板層５３０の正方形片が載置されたら、第１の層５１０の長方形片の長手（延伸）方向と直交する方向に、第２の層５２０の長方形片を載置していく。なお、第２の層５２０は、接合部材５２１が外側になるようにロール状に準備されており、これをほどいていき、第１の層５１０の面ファスナー５１２、あるいは補強板層５３０の面ファスナー５３３と接合していくようにする。
【００９０】
最終的に、第１の層５１０と第２の層５２０が、長方形片の延伸方向が直交した状態で、上から見てほぼ重なった状態となるように結合される。このようにして、現地で容易に、かつ、確実に接合された状態で、仮設ヘリポート５００を組み立てることができる。
【００９１】
なお、これまでの説明では、第２の本発明において、仮設ヘリポートの層の数を２（補強板層を加えれば３）としてきたが、これに限定されず、これよりも多い層の数であってもよい。その場合に、補強板層についても、１であっても、２以上であってもよい。
【００９２】
また、これまでの説明では、第１の層５１０の上面と補強板層５３０の上面を面ファスナーとするとしたが、逆に、第２の層５２０の下面と補強板層５３０の下面を面ファスナーとする配置であってもよいし、相接する両面が共に面ファスナーであってもよい。
【００９３】
また、これまでの、第１及び第２の本発明の説明で、仮設ヘリポートと称しているが、これを、簡易ヘリポート、緊急ヘリポート、臨時ヘリポート、シート状ヘリポートなどの名称で呼んでもよいし、条件を満たせば、必ずしも仮設ではなく、長期間常設のヘリポートとして使用してもよい。
【符号の説明】
【００９４】
１      仮設ヘリポート
１０    第１の層
１１    基材
１２    フック
２０    第２の層
２１    ループ
２２    フック
３０    第３の層
３１    ループ
５０    カバー
５１    ペグ
５２    ヘリポートマーク
５００  仮設ヘリポート
５１０  第１の層
５２０  第２の層
５３０  補強板層
【図１】
2017133343.tif 000003
【図２】
2017133343.tif 000004
【図３】
2017133343.tif 000005
【図４】
2017133343.tif 000006
【図５】
2017133343.tif 000007
【図６】
2017133343.tif 000008
【図７】
2017133343.tif 000009
【図８】
2017133343.tif 000010
【図９】
2017133343.tif 000011
【図１０】
2017133343.tif 000012
【図１１】
2017133343.tif 000013